(57)【特許請求の範囲】
【請求項１】
現在日時を計数する計時手段と、
外部の電子機器との通信を行う第１通信手段と、
前記電子機器との通信を行うタイミングを制御する第１制御手段と、
前記電子機器との通信時に前記第１通信手段を介して現在位置が属する地域での日時である地方時に係る地方時情報を取得し、前記計時手段の計数する現在日時に基づいて前記現在位置における地方時を取得する地方時取得手段と、
地方時が異なる地域間での移動の予定に係る到着予定日時を含む移動予定情報を記憶する記憶手段と、
を備え、
前記第１制御手段は、前記予定された移動に伴う地方時の変更に係る前記到着予定日時を含む所定の期間において、前記第１通信手段により前記電子機器から前記地方時情報を取得する通信を行わせる
ことを特徴とする電子時計。
【請求項２】
前記第１制御手段は、前記予定された移動に伴う地方時の変更に係る前記所定の期間において、前記電子機器から前記地方時情報を取得する通信の頻度を前記所定の期間外よりも上昇させることを特徴とする請求項１記載の電子時計。
【請求項３】
前記第１制御手段は、前記移動予定情報を前記電子機器との通信時に当該電子機器から取得することを特徴とする請求項１又は２記載の電子時計。
【請求項４】
前記第１制御手段は、前記到着予定日時を含む前記所定の期間に前記電子機器から前記地方時情報を取得する通信の頻度を前記所定の期間外よりも上昇させる
ことを特徴とする請求項１〜３の何れか一項に記載の電子時計。
【請求項５】
前記移動予定情報には、出発予定日時が含まれ、
前記第１制御手段は、前記出発予定日時の第１所定時間前から前記到着予定日時の第２所定時間後までの間、前記通信の頻度を上昇させる
ことを特徴とする請求項１〜４の何れか一項に記載の電子時計。
【請求項６】
前記地方時情報には、現在位置における地方時が含まれ、
前記計時手段は、当該地方時を取得して計数することを特徴とする請求項１〜５の何れか一項に記載の電子時計。
【請求項７】
前記第１制御手段は、前記所定の期間外における前記電子機器との定期的な通信の頻度を１日に１回とすることを特徴とする請求項１〜６の何れか一項に記載の電子時計。
【請求項８】
外部機器との通信を行う第２通信手段と、
前記外部機器との前記第２通信手段による通信時における通信内容を制御する第２制御手段と、
地方時が異なる地域間での移動の予定に係る移動予定情報を設定する移動予定情報設定手段と、
現在位置に係る情報を取得する現在位置取得手段と、
取得された現在位置の情報に応じて地方時の情報設定を行う地方時設定手段と、
を備える電子機器と、
請求項１〜７の何れか一項に記載の電子時計と、
からなる地方時設定システムであって、
前記第２制御手段は、
前記電子時計との前記第２通信手段による通信時に、前記移動予定情報と前記地方時の情報とを前記電子時計に送信する
ことを特徴とする地方時設定システム。
【請求項９】
外部機器との通信を行う通信手段を備えたコンピュータを、
世界の各地域それぞれにおける日時である地方時が異なる地域間で前記コンピュータのユーザが移動する予定に係る移動予定情報を設定する移動予定情報設定手段、
現在位置に係る情報を取得する現在位置取得手段、
取得された現在位置の情報に応じて地方時の情報設定を行う地方時設定手段、
外部機器との前記通信手段による通信時に、前記移動予定情報と前記地方時の情報とを当該外部機器に送信する通信制御手段、
として機能させることを特徴とするプログラム。
【発明の詳細な説明】
【技術分野】
【０００１】
この発明は、現在位置に応じた地方時を表示させる電子時計、地方時設定システム及びプログラムに関する。
【背景技術】
【０００２】
従来、外部機器と通信を行い、当該外部機器で計数されている現在位置に応じた地方時での日時データを取得して日時の計数及び表示を行う電子時計がある。電子時計は、スマートフォンや携帯電話といった基地局との通信に応じて略リアルタイムで正確な地方時を取得可能な携帯型の電子機器とブルートゥース（登録商標：Bluetooth）といった近距離無線通信を用いて接続を行い、タイミングを同期させて日時データの送受信を行うことで、容易且つ低電力で正確な地方時での日時を取得することが出来る（例えば、特許文献１）。
【先行技術文献】
【特許文献】
【０００３】
【特許文献１】特開２００９−１１８４０３号公報
【発明の概要】
【発明が解決しようとする課題】
【０００４】
しかしながら、電子時計では、電力供給上の制限から、従来、電子機器との通信接続時間を最小限に限る技術がある。このため、従来、電子時計のユーザが移動しても、通常では、予め定められた接続タイミング、例えば、一日に一回所定の時刻にならないと現在位置に応じた適切な地方時に更新されないという課題がある。また、このために、ユーザは、複数のタイムゾーンや夏時間実施ルールの地域を跨ぐ移動を行う場合に当該地域に応じた地方時を知得するには、手動で外部機器と通信を行わせる操作を行う必要があり、手間がかかるという課題がある。
【０００５】
この発明の目的は、より容易且つ適切に現在位置に応じた地方時を得ることの出来る電子時計、地方時設定システム及びプログラムを提供することにある。
【課題を解決するための手段】
【０００６】
上記目的を達成するため、本発明は、
現在日時を計数する計時手段と、
外部の電子機器との通信を行う第１通信手段と、
前記電子機器との通信を行うタイミングを制御する第１制御手段と、
前記電子機器との通信時に前記第１通信手段を介して現在位置が属する地域での日時である地方時に係る地方時情報を取得し、前記計時手段の計数する現在日時に基づいて前記現在位置における地方時を取得する地方時取得手段と、
地方時が異なる地域間での移動の予定に係る到着予定日時を含む移動予定情報を記憶する記憶手段と、
を備え、
前記第１制御手段は、前記予定された移動に伴う地方時の変更に係る前記到着予定日時を含む所定の期間において、前記第１通信手段により前記電子機器から前記地方時情報を取得する通信を行わせる
ことを特徴とする電子時計である。
【発明の効果】
【０００７】
本発明に従うと、電子時計においてより容易且つ適切に現在位置に応じた地方時を得ることが出来るという効果がある。
【図面の簡単な説明】
【０００８】
【図１】本発明の実施形態の地方時設定システムを示す全体図である。
【図２】電子時計の機能構成を示すブロック図である。
【図３】スマートフォンの機能構成を示すブロック図である。
【図４】スケジュールデータ及び移動予定情報の例を示す図である。
【図５】移動予定抽出処理の制御手順を示すフローチャートである。
【図６】電子時計及びスマートフォンにおける接続処理の制御手順をそれぞれ示すフローチャートである。
【図７】接続制御処理の制御手順を示すフローチャートである。
【図８】スマートフォンの機能構成の変形例を示すブロック図である。
【図９】移動予定設定処理の制御手順を示すフローチャートである。
【発明を実施するための形態】
【０００９】
以下、本発明の実施の形態を図面に基づいて説明する。
図１は、本実施形態の地方時設定システム１の全体構成を説明する図である。
【００１０】
この地方時設定システム１は、電子時計４０と、外部の電子機器及びコンピュータとしてのスマートフォン１０とを含む。この電子時計４０は、ユーザに携帯されるものであり、ここでは、ベルトによりユーザの腕に装着が可能な腕時計である。
電子時計４０とスマートフォン１０との間では、ブルートゥース（登録商標：Bluetooth）により互いに無線通信を行うことが出来る。また、スマートフォン１０は、携帯電話通信の基地局や無線ＬＡＮ（ＩＥＥＥ８０２．１１）のアクセスポイントを介して外部に接続可能となっており、基地局との接続状態が保たれている間は、当該基地局の所在に応じた位置における地方時の日時情報が取得されて計数、表示される。
【００１１】
図２は、電子時計４０の機能構成を示すブロック図である。
電子時計４０は、ＣＰＵ４１（Central Processing Unit）（第１制御手段、地方時取得手段）と、ＲＯＭ４２（Read Only Memory）と、ＲＡＭ４３（Random Access Memory）（記憶手段）と、計時手段としての計時回路４４と、操作受付部４５と、複数の指針５０、ステッピングモータ５１及び駆動回路５２と、Bluetoothモジュール５３（第１通信手段）及びそのアンテナＡＮ４と、ＵＡＲＴ５４（Universal Asynchronous Receiver/Transmitter）と、照明部６０及びそのドライバ６１と、ブザー部６２及びそのドライバ６３と、振動発生部６４及びそのドライバ６５と、バス６９などを備えている。
【００１２】
ＣＰＵ４１は、種々の演算処理を行い、電子時計４０の全体動作を統括制御する。ＣＰＵ４１は、ＲＯＭ４２から電子時計４０の動作に係る各種プログラムを読み出して実行する。
【００１３】
ＲＯＭ４２には、電子時計４０の動作に係る各種制御プログラム及び初期設定データが格納されている。この制御プログラムには、スマートフォン１０など外部電子機器との通信を行うための通信プログラム４２１が含まれている。
【００１４】
ＲＡＭ４３は、ＣＰＵ４１に作業用のメモリ空間を提供し、また、一時データを記憶する。ＲＡＭ４３の記憶する一時データには、外部の電子機器から取得された電子時計４０のユーザの移動予定情報４３１が含まれる。ＲＡＭ４３には、フラッシュメモリなどの書き換え可能な不揮発性メモリが含まれていても良い。
【００１５】
計時回路４４は、図示略の発振回路で生成された所定の周波数信号に基づいて日時の計数を行うカウンタである。計時回路４４は、ハードウェア構成としてのカウンタに限られず、ＣＰＵ４１の制御によりソフトウェア的に計数された現在時刻が記憶される構成であっても良い。
【００１６】
本実施形態の電子時計４０では、計時回路４４の計数する日時は、世界の何れかの地域における日時である地方時であり、ＣＰＵ４１の制御により外部から取得された日時に応じて修正される。即ち、現在計数されている地方時とは異なるタイムゾーンや夏時間実施の地方時での日時が取得された場合には、計時回路４４は、当該取得された地方時での日時で計数を行う。この場合、ＣＰＵ４１は、ＲＡＭ４３にＵＴＣ日時（協定世界時）からの時差情報を保持させ、計時回路４４の計数する日時からＵＴＣ日時を算出可能とされる。或いは、計時回路４４は、所定の基準による日時、例えば、ＵＴＣ日時や当該ＵＴＣ日時に変換可能な数値を計数し、ＣＰＵ４１は、外部電子機器から取得された現在位置情報に基づいてＵＴＣ日時を地方時に変換取得可能であっても良い。
【００１７】
操作受付部４５は、外部からの入力を受け付ける機構として、例えば、りゅうず（回転スイッチ）を有し、ユーザによる引き出し、押し込み、或いは回転といった入力操作に応じた電気信号を発生させて入力信号としてＣＰＵ４１に出力する。操作受付部４５は、りゅうずに加えて又は代えてその他の操作機構、例えば、押しボタンスイッチや、表示画面に重ねて設けられたタッチセンサなどを有していても良い。
【００１８】
指針５０は、電子時計４０の文字盤上で回転可能に複数設けられており、文字盤上の標識を指し示すことで、時刻、日付や曜日などを指し示す。指針５０には、針状のものに加えて、円盤状のものが含まれていて良く、例えば、円盤の周縁部に設けられた「１」〜「３１」の標識のうち何れか一つが文字盤上に設けられた小窓から選択的に露出されるように円盤と文字盤とが相対配置されることで、日付が示されても良い。また、文字盤やベゼルなどに都市名やＵＴＣ日時からの時差情報を示す標識が設けられている場合には、当該標識を指針のうち何れか一本が指し示すことで、何れの地域の地方時が表示されているかを示すことが出来る。
【００１９】
ステッピングモータ５１は、ロータの回転動作に応じて輪列機構を介して指針５０を回転動作させる。ステッピングモータ５１及び輪列機構は、正転方向及び逆転方向に回転可能であり、複数の指針５０各々独立に回転可能であっても良いし、その一部又は全てを連動して回転させる構成であっても良い。
【００２０】
駆動回路５２は、ＣＰＵ４１からの制御信号に応じてステッピングモータ５１に駆動信号を出力してステッピングモータ５１のロータを所望の向きに回転動作させる。
【００２１】
Bluetoothモジュール５３は、アンテナＡＮ４を介してスマートフォン１０などの外部電子機器との間でブルートゥースによる通信を行うための制御モジュールである。ＣＰＵ４１から送られた送信データは、ＵＡＲＴ５４でシリアル／パラレル変換などの処理が行われて、Bluetoothモジュール５３からアンテナＡＮ４を介して外部電子機器に送信される。また、アンテナＡＮ４及びBluetoothモジュール５３により受信された受信データは、ＵＡＲＴ５４でシリアル／パラレル変換などの処理が行われて、ＣＰＵ４１へ出力される。
【００２２】
照明部６０は、ＣＰＵ４１からの制御信号によりドライバ６１から出力された駆動電圧に応じて電子時計４０の文字盤を照明する。照明部６０としては、例えば、ＬＥＤ（発光ダイオード）が用いられる。
【００２３】
ブザー部６２は、ＣＰＵ４１からの制御信号によりドライバ６３から出力された駆動信号に応じてブザー音（ビープ音）を発生させる。ブザー音の発生機構としては、例えば、圧電素子と金属板を組み合わせたものが用いられ、圧電素子に変動電圧（交流電圧又はパルス電圧）を印加することで金属板を振動させてブザー音を発生させる。
【００２４】
振動発生部６４は、ＣＰＵ４１からの制御信号によりドライバ６５から出力された駆動信号に応じて振動を発生させる。振動発生部６４としては、例えば、錘が取り付けられた回転モータが用いられる。
【００２５】
図３は、スマートフォン１０の機能構成を示すブロック図である。
スマートフォン１０は、ＣＰＵ１１（第２制御手段、通信制御手段、移動予定情報設定手段、地方時設定手段）と、ＲＯＭ１２と、ＲＡＭ１３と、記憶部１４と、内蔵時計１５と、表示部１６及びそのドライバ１７と、操作受付部１８と、スピーカ１９と、マイク２０と、コーデック２１と、ＲＦ送受信回路２２と、携帯電話通信用のＲＦ電波を送受信するためのアンテナＡＮ１１と、通信回路２３と、Bluetoothモジュール２４（第２通信手段、通信手段）と、ＵＡＲＴ２５と、ブルートゥース通信用の電波を送受信するためのアンテナＡＮ１２と、衛星電波受信処理部２６と、ＵＡＲＴ２７と、測位衛星からのＬ１帯電波を受信するためのアンテナＡＮ１３と、報知部２８及びそのドライバ２９と、バス３０などを備えている。
【００２６】
ＣＰＵ１１は、各種演算処理を行い、スマートフォン１０の全体動作の統括制御を行う。また、ＣＰＵ１１は、スマートフォン１０と電子時計４０とがブルートゥースにより通信接続されている場合に、移動予定抽出プログラム１４１で取得された移動予定情報１４５の一部又は全部を電子時計４０に送信する。また、ＣＰＵ１１は、ＲＦ送受信回路２２が接続される携帯電話通信の基地局の情報や、衛星電波受信処理部２６による測位結果に基づいてスマートフォン１０の現在位置（都市）を特定し、現在位置が属するタイムゾーンや夏時間実施ルールを設定する。ＣＰＵ１１、ＲＦ送受信回路２２及び衛星電波受信処理部２６により現在位置取得手段が構成される。
【００２７】
ＲＯＭ１２は、ＣＰＵ１１が実行する種々のプログラムや初期設定データを格納する。なお、ＲＯＭ１２の少なくとも一部は、書き換え可能な不揮発性メモリであっても良い。
ＲＡＭ１３は、ＣＰＵ１１に作業用のメモリ空間を提供し、作業用の一時データを記憶する揮発性メモリである。
【００２８】
記憶部１４は、データの読み取り及び上書き更新が可能な不揮発性のメモリ、例えば、フラッシュメモリやＥＥＰＲＯＭ（Electrically Erasable and Programmable Read Only Memory）を備える。この記憶部１４に記憶されているデータには、移動予定抽出プログラム１４１、スケジュール管理アプリ１４２（アプリケーションプログラム）、スケジュールデータ１４３、地方時情報１４４及び移動予定情報１４５が含まれる。
【００２９】
ＣＰＵ１１は、スケジュール管理アプリ１４２を読み出して実行し、ユーザの入力操作に基づいてスケジュール設定を行い、また、当該設定されたスケジュール設定に従って所定の報知動作などを行う。設定されたスケジュールは、スケジュールデータ１４３として記憶される。また、ＣＰＵ１１は、移動予定抽出プログラム１４１を実行することで、異なるタイムゾーンや夏時間設定地域などへ移動する予定をスケジュールデータ１４３から抽出する。抽出されたデータは、ここでは、移動予定情報１４５として別途記憶される。或いは、抽出されたデータは、スケジュールデータ１４３内で所定のフラグや必要な注記情報などが付されても良い。また、移動予定抽出プログラム１４１は、電子時計４０との通信接続時に、記憶された移動予定情報１４５を地方時情報と共に電子時計４０に送信させる。
【００３０】
内蔵時計１５は、現在日時を計数して保持するカウンタである。この現在日時は、ＣＰＵ１１の動作によりソフトウェア的に計数されてＲＡＭなどに記憶されても良い。内蔵時計１５は、ＲＴＣ（Real Time Clock）を有し、スマートフォン１０の電源がオフされた後に再起動された場合には、このＲＴＣから日時データが取得されて計数が再開される。スマートフォン１０では、この内蔵時計１５の現在時刻が読み出され、必要に応じて現在位置に応じたタイムゾーンや夏時間の実施ルールが適用されて地方時の算出が行われて、表示部１６に表示されたり種々の処理に利用されたり、また、当該現在時刻と各種機能に係る設定時刻とが比較されて種々の動作が行われたりする。この内蔵時計１５の現在日時データは、ＲＦ送受信回路２２による携帯電話通信の基地局との通信時に、随時当該基地局から取得される日時データにより修正される。
【００３１】
表示部１６は、各種表示を行う表示画面を備える。表示画面としては、例えば、液晶画面（ＬＣＤ）が用いられる。ＣＰＵ１１から送られた制御信号により動作するドライバ１７（液晶ドライバ）は、当該制御信号に応じてＬＣＤを駆動して表示画面に各種機能に係る表示を行わせる。この表示部１６は、他の表示方式の表示画面、例えば、有機ＥＬＤ（Electro-Luminescent Display）を備えても良く、ドライバ１７は、表示画面の表示方式に応じて適宜選択される。
【００３２】
操作受付部１８は、タッチパネルを有し、表示部１６の表示画面に重ねて設けられたタッチパネルに対するユーザのタッチ操作位置と操作内容とを検出して当該操作に応じた電気信号を発生させ、入力信号としてＣＰＵ１１に出力する。操作受付部１８は、更に、一又は複数の操作キーやスイッチを有し、ユーザが当該操作キーやスイッチに対して行った操作に基づく入力信号をＣＰＵ１１に出力する構成であっても良い。
【００３３】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。なお、通話用のスピーカとその他電話着信を知らせる報知音などを外部に出力するためのスピーカとを別個に備えることとしても良い。
【００３４】
ＲＦ送受信回路２２は、アンテナＡＮ１１を介して携帯電話通信の基地局との間で行われる電話通信やデータ通信に係る信号の送受信処理を行う。通信回路２３は、ＲＦ送受信回路２２により送受信される送受信データに係る各種処理を行い、ＣＰＵ１１やコーデック２１との間でデータの受け渡しを行う。また、ＲＦ送受信回路２２は、無線ＬＡＮのアクセスポイントに接続して、無線ＬＡＮを介してインターネット上の各所とデータの送受信（データ通信）が可能となっている。
【００３５】
Bluetoothモジュール２４は、アンテナＡＮ１２を介して電子時計４０などの外部機器との間でブルートゥース通信を行うための制御モジュールである。ＣＰＵ１１から送られた送信データは、ＵＡＲＴ２５でシリアル／パラレル変換などの処理が行われて、Bluetoothモジュール２４から外部機器に送信される。また、外部機器からBluetoothモジュール２４を用いて受信された受信データは、ＵＡＲＴ２５でパラレル／シリアル変換などの処理が行われて、ＣＰＵ１１へ出力される。
【００３６】
衛星電波受信処理部２６は、アンテナＡＮ１３を介してＧＰＳ（Global Positioning System）などの測位システムに係る測位衛星からの電波を受信し、各種演算処理を行うことで現在位置を算出する測位動作を行う。衛星電波受信処理部２６は、所定の時間間隔で、及び／又はユーザの要求操作に応じて測位動作を行って、ＵＡＲＴ２７を介して測位結果を予め設定されたフォーマットでＣＰＵ１１に出力する。
【００３７】
報知部２８は、ユーザに報知動作を行うための構成を一又は複数有する。報知部２８としては、例えば、回転モータを備える振動発生部、圧電素子などを用いたビープ音発生部、及びステータス表示用のランプや照明に用いられる発光ダイオード（ＬＥＤ）を備えた照明部／発光部などが挙げられる。ＣＰＵ１１から報知部２８の各構成に対応するドライバ２９に制御信号が送られると、ドライバ２９は、各報知部２８を動作させるのに必要な電圧信号に変換して報知部２８へ出力する。
【００３８】
バス３０は、ＣＰＵ１１とスマートフォン１０内部の各構成との間で信号の送受信が可能に接続するデータ経路である。
【００３９】
次に、本実施形態の地方時設定システム１でやり取りされる移動予定情報について説明する。
図４は、スマートフォン１０で保持されるスケジュールデータ１４３及びこのスケジュールデータ１４３から抽出される移動予定情報１４５について説明する図である。
【００４０】
図４（ａ）に示すように、スケジュールデータ１４３が記憶部１４に記憶されている場合、ＣＰＵ１１は、移動予定抽出プログラム１４１を実行することで、キーワード「移動」、「出張」、「旅行」などをキーワードとしてユーザの移動情報を検出、抽出する。検出されたデータに移動元及び移動先の情報が何れも含まれている場合には、これらがそのまま取得される。移動元の情報が無い場合には、当該移動の一回前の移動における移動先又は一回前の移動からの経過時間などに応じてホーム位置が移動元とされる。或いは、移動先が明示されていない場合、移動先でのスケジュール内で当該移動先と対応付けられた訪問先などが記載されている場合には、当該訪問先に基づいて移動先が推定されても良い。例えば、空港名と当該空港に係る都市名や、当該都市において過去に訪問した場所の名称などが予め記憶部１４に対応付けられて記憶されていても良い。
【００４１】
移動元と移動先が検出されると、それぞれ地方時情報１４４に基づいて各々が属するタイムゾーン及び夏時間実施エリアが判定される。そして、移動元と移動先におけるタイムゾーン又は夏時間実施エリアが異なる場合には、検出された移動情報に基づく移動予定情報１４５が設定される。
【００４２】
ここでは、「移動」の記載が５つ含まれており、そのうち、８月１日の移動元と８月２日の移動先がセットとされる。また、７月２８日の移動は、フランクフルトとパリとの間で時差や夏時間実施ルールが同一であることにより除外される。また、７月２７日の移動元空港である「成田」及び８月２日の移動先空港である「羽田」は、何れも「東京」と対応付けられ、また、７月３０日の移動先駅である「セントパンクラス（St. Pancras）」及び８月１日の移動元空港である「ヒースロー」は、「ロンドン」と対応付けられて、記憶部１４にそれぞれ記憶されていれば良い。
【００４３】
この結果、図４（ｂ）に示すように、７月２７日、７月３０日、８月１日の３回の移動が抽出されて移動予定情報１４５として記憶設定される。ここでは、抽出された移動のタイミングは、ＵＴＣ日時に変換され、移動開始予定時刻（出発予定日時）の１時間前（第１所定時間前）から移動終了予定時刻（到着予定日時）の１時間後（第２所定時間後）までの時刻が移動想定時刻（地方時の変更に係る所定の期間）として保持されている。また、これらのうち、フランクフルト、パリ、及びロンドンは、何れも夏時間の実施中であり、ＵＴＣ時刻からの時差には、タイムゾーンの標準時での時差に対してそれぞれ＋１時間されている。東京では、夏時間が実施されていないので、タイムゾーンの標準時での時差である＋９時間が設定される。
なお、ここでは、スケジュールデータ１４３中の時刻が全て現地の地方時であるとして解釈したが、スケジュール管理アプリ１４２におけるユーザ設定に応じてＵＴＣ時刻であると判別可能であっても良い。
【００４４】
図５は、スマートフォン１０において実行される移動予定抽出処理のＣＰＵ１１による制御手順を示すフローチャートである。この移動予定抽出処理は、一日一回所定の時刻、スケジュール管理アプリ１４２の動作によりスケジュールデータ１４３が更新されたタイミング、及びユーザによる操作受付部１８への入力操作により起動命令が受け付けられたタイミングなどに移動予定抽出プログラム１４１が起動されることで実行される。
【００４５】
移動予定抽出処理が起動されると、ＣＰＵ１１は、スケジュールデータ１４３にアクセスする（ステップＳ１０１）。ＣＰＵ１１は、記憶部１４に予め設定されている移動キーワードに基づいて移動情報の検索を開始する（ステップＳ１０２）。ＣＰＵ１１は、検索が終了したか否かを判別し（ステップＳ１０３）、終了していないと判別された場合には（ステップＳ１０３で“ＮＯ”）、ＣＰＵ１１は、キーワードが検出されたか否かを判別する（ステップＳ１０４）。
【００４６】
キーワードが検出されていないと判別された場合には（ステップＳ１０４で“ＮＯ”）、ＣＰＵ１１の処理は、ステップＳ１０３に戻る。キーワードが検出されたと判別された場合には（ステップＳ１０４で“ＹＥＳ”）、ＣＰＵ１１は、当該キーワードに係る移動日時、移動元及び移動先の情報を抽出する（ステップＳ１０５）。
【００４７】
ＣＰＵ１１は、地方時情報１４４を参照して移動元と移動先のタイムゾーン及び夏時間実施ルールを取得する（ステップＳ１０６）。ＣＰＵ１１は、移動元と移動先の地方時が異なるか否かを判別する（ステップＳ１０７）。異なると判別された場合には（ステップＳ１０７で“ＹＥＳ”）、ＣＰＵ１１は、抽出された移動日時をＵＴＣ日時に変換し、移動開始時刻の１時間前と移動終了時刻の１時間後を算出する（ステップＳ１０８）。ＣＰＵ１１は、これら移動想定時刻の情報と移動予定日、移動元及び移動先の情報（都市及びタイムゾーン、夏時間情報）を抽出データとして移動予定情報１４５に記憶設定する（ステップＳ１０９）。それから、ＣＰＵ１１の処理は、ステップＳ１０３に戻る。
【００４８】
ステップＳ１０３の処理で、スケジュールデータ１４３内におけるキーワードの検索が終了したと判別された場合には（ステップＳ１０３で“ＹＥＳ”）、ＣＰＵ１１は、移動予定抽出処理を終了する。
【００４９】
図６は、電子時計４０及びスマートフォン１０における接続処理についてそれぞれ説明する図である。
【００５０】
図６（ａ）は、電子時計４０においてＣＰＵ４１により実行される接続処理の制御手順を示すフローチャートである。
この電子時計４０における接続処理は、ユーザの入力操作に応じて随時呼び出されて起動される。また、この接続処理は、後述の接続制御処理に呼び出されるタイミングで定期的に起動される。
【００５１】
接続処理が開始されると、電子時計４０のＣＰＵ４１は、Bluetoothモジュール５３の動作を開始させ、スマートフォン１０からのブロードキャストを受信して当該スマートフォン１０に対して接続要求を送信させることで、スマートフォン１０との通信接続動作を行わせる（ステップＳ４２１）。ＣＰＵ４１は、スマートフォン１０から日時情報（地方時情報）、即ち、現在位置における地方時を取得し、当該日時情報に応じて計時回路４４が計数する日時（地方時）を修正する（ステップＳ４２２）。ＣＰＵ４１は、スマートフォン１０から移動予定情報を受信（取得）し、移動予定情報４３１を更新設定する（ステップＳ４２３）。
【００５２】
ＣＰＵ４１は、Bluetoothモジュール５３によりスマートフォン１０との通信接続を解除する要求をスマートフォン１０に送信させ、通信接続が解除されると、Bluetoothモジュール５３の動作を終了させる（ステップＳ４２４）。そして、ＣＰＵ４１は、接続処理を終了する。
【００５３】
図６（ｂ）は、スマートフォン１０においてＣＰＵ１１が実行する接続処理の制御手順を示すフローチャートである。
この接続処理は、スマートフォン１０でBluetoothモジュール２４が定期的にブロードキャストメッセージを送信している状態において、電子時計４０のBluetoothモジュール５３からの通信接続要求がBluetoothモジュール２４により受信されてＣＰＵ１１に取得されることで開始される。
【００５４】
接続処理が開始されると、ＣＰＵ１１は、電子時計４０からの接続要求に応じて当該要求を送信してきた電子時計４０との通信接続を確立する（ステップＳ１２１）。ＣＰＵ１１は、通信接続が確立された後、電子時計４０に対して内蔵時計１５が計数する現在の日時を送信する（ステップＳ１２２）。なお、ＣＰＵ１１は、スマートフォン１０の携帯電話機能に係る基地局との情報のやりとりにより内蔵時計１５の日時を修正した後に当該修正済みの日時を電子時計４０に送信しても良い。
【００５５】
ＣＰＵ１１は、次いで、記憶部１４を参照して移動予定情報１４５を電子時計４０に送信する（ステップＳ１２３）。ここで、送信する移動予定情報の数は、電子時計４０のＲＡＭ４３に記憶可能な移動予定の数に応じて上限が定められていても良い。この場合、ＣＰＵ１１は、現在日時以降で直近の上限回数の移動予定情報を電子時計４０に送信する。また、ＣＰＵ１１は、更に、所定時間先まで、例えば、１週間先までの移動予定情報のみを送信することとしても良い。
【００５６】
ＣＰＵ１１は、電子時計４０からの通信を待ち受け、通信接続解除の要求が受信されると、電子時計４０との通信接続を解除する（ステップＳ１２４）。そして、ＣＰＵ１１は、接続処理を終了する。
【００５７】
図７は、電子時計４０で実行される接続制御処理のＣＰＵ４１による制御手順を示すフローチャートである。
この接続制御処理は、電子時計４０の動作時に常駐して繰返し実行される。
【００５８】
接続制御処理が起動されると、ＣＰＵ４１は、計時回路４４の現在日時が毎正時であるか否かを判別する（ステップＳ４４１）。毎正時ではないと判別された場合には（ステップＳ４４１で“ＮＯ”）、ＣＰＵ４１の処理は、ステップＳ４４４に移行する。
【００５９】
毎正時のタイミングであると判別された場合には（ステップＳ４４１で“ＹＥＳ”）、ＣＰＵ４１は、ＲＡＭ４３に移動予定情報４３１が記憶されているか否かを判別する（ステップＳ４４２）。移動予定がないと判別された場合には（ステップＳ４４２で“ＮＯ”）、ＣＰＵ４１の処理は、ステップＳ４４４に移行する。移動予定があると判別された場合には（ステップＳ４４２で“ＹＥＳ”）、ＣＰＵ４１は、現在の日時が何れかの移動予定に係る日付における移動想定時刻であるか否かを判別する（ステップＳ４４３）。
【００６０】
移動予定日における移動想定時刻、即ち、移動予定情報において、設定された想定開始時刻（移動開始時刻の１時間前）から想定終了時刻（移動終了時刻の１時間後）までの間ではないと判別された場合には（ステップＳ４４３で“ＮＯ”）、ＣＰＵ４１の処理は、ステップＳ４４４に移行する。
【００６１】
移動予定日における移動想定時刻であると判別された場合には（ステップＳ４４３で“ＹＥＳ”）、ＣＰＵ４１は、上述の接続処理を呼び出して実行する（ステップＳ４４５）。即ち、ＣＰＵ４１は、移動想定時刻である場合には、通常１日に１回設定されている接続時刻に加えて毎時の通信接続を行うことで通信接続の頻度を上昇させる。接続処理が終了すると、ＣＰＵ４１の処理動作は、接続制御処理に戻り、当該接続制御処理での処理は、ステップＳ４４１に戻る。
【００６２】
ステップＳ４４１〜Ｓ４４３の何れかの処理からステップＳ４４４の処理に移行すると、ＣＰＵ４１は、計時回路４４の計数する日時が毎日所定の接続時刻であるか否かを判別する（ステップＳ４４４）。接続タイミングではないと判別された場合には（ステップＳ４４４で“ＮＯ”）、ＣＰＵ４１の処理は、ステップＳ４４１に戻る。接続タイミングであると判別された場合には（ステップＳ４４４で“ＹＥＳ”）、ＣＰＵ４１は、接続処理を呼び出して実行する（ステップＳ４４５）。
なお、ステップＳ４４４又はステップＳ４４５の処理の後、ステップＳ４４１の処理が実行されるまでに所定の待機時間を設けることが出来る。
【００６３】
以上のように、本実施形態の電子時計４０は、現在日時を計数する計時回路４４と、外部の電子機器（スマートフォン１０）との通信を行うBluetoothモジュール５３と、ＣＰＵ４１と、ＲＡＭ４３とを備える。ＣＰＵ４１は、第１制御手段として、電子機器との通信を行うタイミングを制御し、地方時取得手段として、電子機器との通信時にBluetoothモジュール５３を介して現在位置が属する地域での日時である地方時に係る地方時情報を取得し、計時回路４４の計数する現在日時に基づいて現在位置における地方時を取得する。ＲＡＭ４３には、地方時が異なる地域間での移動の予定に係る移動予定情報４３１が記憶される。第１制御手段としてのＣＰＵ４１は、予定された移動に伴う地方時の変更に係る移動想定時刻において、Bluetoothモジュール５３により電子機器から地方時情報を取得する通信を行わせる。
これにより、移動により地方時が変わる場合には、当該変わるタイミングに合わせて通常とは別個に電子時計４０とスマートフォン１０との間で通信接続が行われてスマートフォン１０から現在位置に応じた地方時が取得されるので、より容易且つより適切に現在位置に応じた地方時の計数、表示に切り替えることが出来る。また、通常時における通信接続の間隔は変化しないので、不必要に消費電力を増大させない。
【００６４】
また、第１制御手段としてのＣＰＵ４１は、予定された移動に伴う地方時の変更に係る移動想定時刻において、電子機器から地方時情報を取得する通信の頻度を当該移動想定時刻の期間外よりも上昇させる。
これにより、移動により地方時が変わる場合には、当該変わるタイミングの前後で通常よりも頻繁に電子時計４０とスマートフォン１０との間で通信接続が行われてスマートフォン１０から現在位置に応じた地方時が取得されるので、より容易且つより確実に現在位置に応じた地方時の計数、表示に切り替えることが出来る。特に、地上に沿って移動する場合などには、タイムゾーン境界の通過に従ってより容易且つ速やかに切り替えが行われる。また、通常時における通信接続の間隔とは別個に設定されるので、不必要に消費電力を増大させない。
【００６５】
また、第１制御手段としてのＣＰＵ４１は、移動予定情報をスマートフォン１０との通信時に当該スマートフォン１０から取得する。従って、操作や表示内容の限られる電子時計４０で設定しなくとも、容易に移動予定情報をスマートフォン１０で設定して電子時計４０に送信することで、当該移動予定に従った地方時の変更を適切に行うことが出来る。
【００６６】
また、移動予定情報には、移動終了予定日時が含まれ、第１制御手段としてのＣＰＵ４１は、移動終了予定日時を含む期間において通信の頻度を上昇させる。これにより、目的地への到着から大きく遅れることなく適切な地方時を得ることが出来る。
【００６７】
また、移動予定情報には、移動開始予定日時が含まれ、第１制御手段としてのＣＰＵ４１は、移動開始予定日時の１時間前から移動終了予定日時の１時間後までの間、通信の頻度を上昇させる。これにより、移動中の何れのタイミングでタイムゾーンや夏時間実施エリアの境界を跨いだとしても、大きく遅れることなく現在位置に応じた地方時をより適切に表示させることが出来る。
【００６８】
また、地方時情報には、現在位置における地方時自体が含まれ、計時回路４４は、当該地方時を取得して計数する。従って、電子時計４０において毎回ＵＴＣ日時などを換算して地方時を算出せずとも容易に現在位置における地方時を取得することが出来る。また、このような電子時計４０において、大きな遅れなく適切に現在位置に応じた地方時をスマートフォン１０から取得することで、電子時計４０において煩雑な設定変更が行われずに適切な地方時を得ることが出来る。
【００６９】
また、第１制御手段としてのＣＰＵ４１は、異なる地方時の地域を跨ぐ移動予定に係る想定移動時刻以外の期間では、スマートフォン１０との定期的な通信の頻度を１日に１回とすることで、無駄な電力消費を抑えつつ適切に日時の修正を行い、また、予定外の移動に伴う地方時の変更がないかの確認及び修正を行うことが出来る。
【００７０】
また、本実施形態の地方時設定システム１は、外部機器としての電子時計４０との通信を行うBluetoothモジュール２４と、ＣＰＵ１１とを備え、また、ＲＦ送受信回路２２及び衛星電波受信処理部２６を備えることで現在位置に係る情報を取得するスマートフォン１０と、電子時計４０とからなる。ＣＰＵ１１は、電子時計４０とのBluetoothモジュール２４による通信時における通信内容を制御する第２制御手段として動作し、地方時が異なる地域間での移動の予定に係る移動予定情報を設定する移動予定情報設定手段として動作し、また、取得された現在位置の情報に応じて地方時の情報設定を行う地方時設定手段として動作する。
スマートフォン１０における第２制御手段としてのＣＰＵ１１は、電子時計４０とのBluetoothモジュール２４による通信時に、移動予定情報と設定された地方時の情報とを電子時計４０に送信する。
このように、電子時計４０が地方時やその変更に係る情報をスマートフォン１０から取得し、当該情報に基づいて想定移動時刻における通信接続の頻度を通常時とは変化させながら現在位置に応じた地方時を得ることで、電子時計４０では煩雑な処理や設定を必要とせず、電力消費も不必要に増大させずにより容易且つ適切に現在位置に応じた地方時を得ることが出来る。
【００７１】
［変形例］
図８は、本実施形態のスマートフォンの変形例を示すブロック図である。
この変形例のスマートフォン１０ａは、記憶部１４ａの記憶内容が上述の実施形態のスマートフォン１０における記憶部１４の内容と異なる点を除いて同一であり、同一の構成には同一の符号を付して説明を省略する。
【００７２】
本変形例のスマートフォン１０ａでは、スケジュール管理アプリ１４２及び当該スケジュール管理アプリ１４２用のスケジュールデータ１４３から移動予定を抽出する移動予定抽出プログラム１４１の代わりに、電子時計４０に送信する移動予定情報１４５を直接設定するための移動予定設定プログラム１４１ａ（プログラム）が記憶されている。
【００７３】
次に、この移動予定設定プログラム１４１ａを用いた移動予定設定動作について説明する。
本変形例のスマートフォン１０ａでは、ユーザが入力操作により明示的に移動予定の設定を行う。この移動予定には、移動元位置、移動先位置、移動開始（出発）日時及び移動終了（到着）日時が含まれる。また、移動手段（飛行機、鉄道や車など）に係る情報が含まれていても良い。
【００７４】
図９は、スマートフォン１０ａで実行される移動予定設定処理のＣＰＵ１１による制御手順を示すフローチャートである。この移動予定設定処理は、ユーザにより移動予定が入力設定される場合に起動される。
【００７５】
移動予定設定処理が起動されると、ＣＰＵ１１は、ユーザ操作を待ち受け、入力された移動予定データを取得する（ステップＳ１０１ａ）。ＣＰＵ１１は、地方時情報１４４を参照して移動元及び移動先のタイムゾーン及び夏時間実施ルールの情報（地方時設定情報）を取得する（ステップＳ１０６）。ＣＰＵ１１は、移動元と移動先の地方時設定情報が異なるか否かを判別する（ステップＳ１０７）。
【００７６】
移動元と移動先の地方時設定情報が異なると判別された場合には（ステップＳ１０７で“ＹＥＳ”）、ＣＰＵ１１は、出発時刻の１時間前と到着時刻の１時間後（移動想定時刻）を算出し、電子時計４０への送信対象の移動予定情報１４５として設定記憶させる（ステップＳ１０９ａ）。それから、ＣＰＵ１１の処理は、ステップＳ１１０に移行する。移動元と移動先の地方時設定情報が同一であると判別された場合には（ステップＳ１０７で“ＮＯ”）、ＣＰＵ１１は、当該移動予定情報を電子時計４０に送信しないものとして記憶保持する（ステップＳ１０９ｂ）。それから、ＣＰＵ１１の処理は、ステップＳ１１０に移行する。
【００７７】
なお、電子時計４０に送信しない移動予定情報は、記憶部１４に保持しないこととしても良い。この場合、ＣＰＵ１１は、ステップＳ１０７の判別処理の結果を表示部１６に表示させることで、ユーザに入力が不要であったことを知得させることが出来る。
【００７８】
ステップＳ１１０の処理に移行すると、ＣＰＵ１１は、移動予定設定プログラム１４１ａがユーザにより終了操作されたか否かを判別する（ステップＳ１１０）。終了操作されていないと判別された場合には（ステップＳ１１０で“ＮＯ”）、ＣＰＵ１１の処理は、ステップＳ１０１ａに戻る。終了操作がなされたと判別された場合には（ステップＳ１１０で“ＹＥＳ”）、ＣＰＵ１１は、移動予定設定処理を終了する。
【００７９】
この移動予定設定プログラム１４１ａは、電子時計４０との通信時に、上述の移動予定設定処理で設定した移動予定情報を地方時と共に電子時計４０に送信させる。
【００８０】
以上のように、本実施形態の移動予定情報設定に係るプログラム（移動予定設定プログラム１４１ａ）は、外部機器との通信を行うBluetoothモジュール２４を備えたスマートフォン１０ａのコンピュータを、世界の各地域それぞれにおける日時である地方時が異なる地域間でコンピュータ（スマートフォン１０）のユーザが移動する予定に係る移動予定情報を設定する移動予定情報設定手段、現在位置に係る情報を取得する現在位置取得手段、取得された現在位置の情報に応じて地方時の情報設定を行う地方時設定手段、電子時計４０とのBluetoothモジュール２４による通信時に、移動予定情報と設定された地方時の情報とを当該電子時計４０に送信する通信制御手段、として機能させることを特徴とするプログラムである。
従って、入力や表示の容易なスマートフォン１０で移動予定情報を設定し、地方時情報と共に電子時計４０に送信させることで、電子時計４０により取得された当該移動予定情報に基づいて想定移動時刻における通信接続の頻度を通常時より上昇させながら現在位置に応じた地方時を得る動作制御を当該電子時計４０において行わせることで、電子時計４０で煩雑な処理や設定を必要とせず、且つ電力消費を不必要に増大させずにより容易且つ適切に現在位置に応じた地方時を取得させることが出来る。
【００８１】
また、他のスケジュール管理アプリ１４２に係るスケジュールデータ１４３からでは判別し難いスケジュール設定などで移動予定情報４３１が正しく取得されないケースの発生を抑えることが出来る。
【００８２】
なお、本発明は、上記実施の形態に限られるものではなく、様々な変更が可能である。
例えば、上記実施の形態では、移動先の地方時と地方時設定とを共に取得して、逆算されたＵＴＣ日時により想定移動時刻を算出することとしたが、地方時設定を取得せず、移動予定情報も全て地方時で設定することとしてＵＴＣ日時を用いないで通信タイミングを制御することとしても良い。
【００８３】
また、上述のように、計時回路４４ではＵＴＣ日時を計数し、ＣＰＵ４１が地方時に換算して地方時を取得する場合には、ＣＰＵ１１は、電子時計４０との通信時に地方時ではなくＵＴＣ日時を送信し、地方時設定としては、最新のタイムゾーン及び夏時間実施情報を送信しても良いし、或いは、タイムゾーンや夏時間実施情報に係るテーブルを電子時計４０が保持している場合には、現在位置が属するタイムゾーン及び夏時間実施地域を特定する情報が送信されても良い。
【００８４】
また、上記実施の形態では、複数の指針を用いたアナログ電子時計を例に挙げて説明したが、デジタル表示を行う電子時計であっても良い。また、特にデジタル電子時計の場合には、移動予定をブルートゥース通信によりスマートフォン１０から取得する場合に限られず、電子時計４０自体で移動予定情報を設定可能としても良い。
【００８５】
また、上記実施形態では、ブルートゥースにより電子時計４０とスマートフォン１０との間で通信を行ったが、他の方式の通信手段、例えば、赤外線通信や無線ＬＡＮなどが用いられても良い。
また、電子時計４０と通信接続される電子機器は、スマートフォンの他、携帯電話やタブレット端末など、電子時計４０とともにユーザに携帯されて利用される電子機器であれば特に限られない。
【００８６】
また、上記実施の形態では、移動開始（出発）予定時刻の１時間前から移動終了（到着）予定時刻の１時間後までの間で通信接続の頻度を上昇させることとしたが、地方時設定の変更に伴って計時回路４４の計数する地方時が速やかに変更されるように設定されるのであれば、他の期間であっても良い。また、この期間の設定は、移動手段などに応じて変更されても良い。例えば、飛行機による移動の場合には、飛行中に通過するタイムゾーンの地方時を考慮しないこととして到着予定時刻前後の所定時間内のみで通信接続の頻度を上昇させて良く、この場合は、出発予定時刻に係る情報は記憶されなくても良い。更に、このような場合には、一度移動先の地方時と地方時設定が取得されれば良いので、取得された段階で受信の繰返しを中止しても良く、その結果として一度の通信接続で取得が終了しても良い。また、鉄道による移動の場合には、予定より早く出発することが想定されないこととして、出発予定時刻以降でのみ（即ち、出発予定時刻の０時間前から）通信接続の頻度を上昇させても良い。また、自動車や長距離バスでの移動の場合には、渋滞などを考慮して到着予定時刻後に１時間より長い時間通信接続の頻度を上昇させたまま維持しても良い。或いは、出発予定時刻及び到着予定時刻の代わりに、国境駅や州境駅の停車（通過）予定時刻といった地方時設定の変化する予定時刻のみが設定されても良く、この場合には、当該停車予定時刻の前後のみで通信接続の頻度を上昇させることが出来る。
【００８７】
また、上記実施の形態では、１時間に１度の通信接続が行われるものとして画一的に定められたが、通信接続の頻度が更に多段階に変化されても良い。例えば、到着予定時刻前後では更に短い間隔で通信接続が行われても良い。また、出発予定時刻と到着予定時刻と共に、地方時設定が変化する国境駅や州境駅などの停車（通過）予定時刻が設定された場合に、当該停車予定時刻前後で通信接続の間隔を更に短く設定しても良い。
【００８８】
また、上記実施の形態では、ユーザ操作による手動接続を考慮せずに定期的な通信接続の頻度を１時間に１回に上昇させたが、途中で手動接続がなされた場合には、当該手動接続のタイミングから１時間ごとに通信接続を行うように変更しても良い。
【００８９】
また、以上の説明では、本発明に係るスマートフォン１０における移動予定抽出プログラム１４１やスマートフォン１０ａにおける移動予定設定プログラム１４１ａのコンピュータ読み取り可能な媒体として不揮発性メモリなどからなる記憶部１４を例に挙げて説明したが、これに限定されない。その他のコンピュータ読み取り可能な媒体として、ＨＤＤ（Hard Disk Drive）や、ＣＤ−ＲＯＭやＤＶＤディスクなどの可搬型記録媒体を適用することが可能である。また、本発明に係るプログラムのデータを通信回線を介して提供する媒体として、キャリアウェーブ（搬送波）も本発明に適用される。
その他、上記実施の形態で示した具体的な構成、動作の内容や手順などは、本発明の趣旨を逸脱しない範囲において適宜変更可能である。
【００９０】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９１】
［付記］
＜請求項１＞
現在日時を計数する計時手段と、
外部の電子機器との通信を行う第１通信手段と、
前記電子機器との通信を行うタイミングを制御する第１制御手段と、
前記電子機器との通信時に前記第１通信手段を介して現在位置が属する地域での日時である地方時に係る地方時情報を取得し、前記計時手段の計数する現在日時に基づいて前記現在位置における地方時を取得する地方時取得手段と、
地方時が異なる地域間での移動の予定に係る移動予定情報を記憶する記憶手段と、
を備え、
前記第１制御手段は、前記予定された移動に伴う地方時の変更に係る所定の期間において、前記第１通信手段により前記電子機器から前記地方時情報を取得する通信を行わせる
ことを特徴とする電子時計。
＜請求項２＞
前記第１制御手段は、前記予定された移動に伴う地方時の変更に係る前記所定の期間において、前記電子機器から前記地方時情報を取得する通信の頻度を前記所定の期間外よりも上昇させることを特徴とする請求項１記載の電子時計。
＜請求項３＞
前記第１制御手段は、前記移動予定情報を前記電子機器との通信時に当該電子機器から取得することを特徴とする請求項１又は２記載の電子時計。
＜請求項４＞
前記移動予定情報には、到着予定日時が含まれ、
前記第１制御手段は、前記到着予定日時を含む前記所定の期間に前記電子機器から前記地方時情報を取得する通信の頻度を前記所定の期間外よりも上昇させる
ことを特徴とする請求項１〜３の何れか一項に記載の電子時計。
＜請求項５＞
前記移動予定情報には、出発予定日時が含まれ、
前記第１制御手段は、前記出発予定日時の第１所定時間前から前記到着予定日時の第２所定時間後までの間、前記通信の頻度を上昇させる
ことを特徴とする請求項４記載の電子時計。
＜請求項６＞
前記地方時情報には、現在位置における地方時が含まれ、
前記計時手段は、当該地方時を取得して計数することを特徴とする請求項１〜５の何れか一項に記載の電子時計。
＜請求項７＞
前記第１制御手段は、前記所定の期間外における前記電子機器との定期的な通信の頻度を１日に１回とすることを特徴とする請求項１〜６の何れか一項に記載の電子時計。
＜請求項８＞
外部機器との通信を行う第２通信手段と、
前記外部機器との前記第２通信手段による通信時における通信内容を制御する第２制御手段と、
地方時が異なる地域間での移動の予定に係る移動予定情報を設定する移動予定情報設定手段と、
現在位置に係る情報を取得する現在位置取得手段と、
取得された現在位置の情報に応じて地方時の情報設定を行う地方時設定手段と、
を備える電子機器と、
請求項１〜７の何れか一項に記載の電子時計と、
からなる地方時設定システムであって、
前記第２制御手段は、
前記電子時計との前記第２通信手段による通信時に、前記移動予定情報と前記地方時の情報とを前記電子時計に送信する
ことを特徴とする地方時設定システム。
＜請求項９＞
外部機器との通信を行う通信手段を備えたコンピュータを、
世界の各地域それぞれにおける日時である地方時が異なる地域間で前記コンピュータのユーザが移動する予定に係る移動予定情報を設定する移動予定情報設定手段、
現在位置に係る情報を取得する現在位置取得手段、
取得された現在位置の情報に応じて地方時の情報設定を行う地方時設定手段、
外部機器との前記通信手段による通信時に、前記移動予定情報と前記地方時の情報とを当該外部機器に送信する通信制御手段、
として機能させることを特徴とするプログラム。
【符号の説明】
【００９２】
１     地方時設定システム
１０   スマートフォン
１０ａ スマートフォン
１１   ＣＰＵ
１２   ＲＯＭ
１３   ＲＡＭ
１４   記憶部
１４ａ 記憶部
１５   内蔵時計
１６   表示部
１７   ドライバ
１８   操作受付部
１９   スピーカ
２０   マイク
２１   コーデック
２２   ＲＦ送受信回路
２３   通信回路
２４   Bluetoothモジュール
２５   ＵＡＲＴ
２６   衛星電波受信処理部
２７   ＵＡＲＴ
２８   報知部
２９   ドライバ
３０   バス
４０   電子時計
４１   ＣＰＵ
４２   ＲＯＭ
４３   ＲＡＭ
４４   計時回路
４５   操作受付部
５０   指針
５１   ステッピングモータ
５２   駆動回路
５３   Bluetoothモジュール
５４   ＵＡＲＴ
６０   照明部
６１   ドライバ
６２   ブザー部
６３   ドライバ
６４   振動発生部
６５   ドライバ
６９   バス
１４１ 移動予定抽出プログラム
１４１ａ      移動予定設定プログラム
１４２ スケジュール管理アプリ
１４３ スケジュールデータ
１４４ 地方時情報
１４５ 移動予定情報
４２１ 通信プログラム
４３１ 移動予定情報
ＡＮ１１      アンテナ
ＡＮ１２      アンテナ
ＡＮ１３      アンテナ
ＡＮ４ アンテナ
【図１】
0006582680.tif 000002
【図２】
0006582680.tif 000003
【図３】
0006582680.tif 000004
【図４】
0006582680.tif 000005
【図５】
0006582680.tif 000006
【図６】
0006582680.tif 000007
【図７】
0006582680.tif 000008
【図８】
0006582680.tif 000009
【図９】
0006582680.tif 000010